(57)【特許請求の範囲】
【請求項１】
ステッピングモータにより駆動されてレンズを通過する光量を調節する光量調節手段を有する撮影レンズと通信制御可能なカメラにおいて、
絞込みスイッチと、
第１ストローク、第２ストロークを有するレリーズスイッチ釦と、
前記絞込みスイッチの操作により前記光量調節手段を絞り込み駆動させる制御手段とを有し、
前記制御手段は、前記絞込みスイッチの操作に応じて前記ステッピングモータを介した前記光量調節部材の絞り込み動作を行なわせ、前記光量調節部材を絞り込んだ後に、前記ステッピングモータへの通電を停止するように制御するとともに、前記絞込みスイッチの操作されている状態での前記レリーズスイッチ釦の第２ストロークに応じて前記光量調節部材を一旦開いてから前記光量調節部材を絞り込んだ後に撮影することを特徴とするカメラ。
【請求項２】
前記制御手段は、前記レリーズスイッチ釦の第２ストロークの操作がされた場合、前記ステッピングモータへの通電を保持したままレリーズを行なうことを特徴とする請求項１に記載のカメラ。
【請求項３】
請求項１または２のカメラと前記撮影レンズにより構成され、
前記撮影レンズは前記制御手段の指示に従って、前記光量調整部材の絞り込み中は絞り込み中であることを示す情報を前記カメラに送信することを特徴とするカメラシステム。
【発明の詳細な説明】
【０００１】
【発明の属する技術分野】
本発明は、レンズ絞り込みスイッチによりステッピングモータを駆動し、レンズ絞り込みを行なう、例えば一眼レフレックスカメラ等のカメラシステムスに関するものである。
【０００２】
【従来の技術】
従来、ステッピングモータにより、レンズの絞り駆動を行っている場合、絞り駆動を行った後も、ステッピングモータの通電を維持している。これは、絞り駆動した後で、ステッピングモータの通電をオフすると絞り込んだ位置を精度良く維持できない為である。
【０００３】
従って、レンズ絞り込みスイッチにより、レンズの絞り駆動を行った場合は、ステッピングモータの通電を維持したままでいる。
【０００４】
【発明が解決しようとする課題】
しかしながら、実際、レンズ絞り込みスイッチによる絞り込みを行うのは、撮影者が被写界深度を確認するためで、その確認中はステッピングモータの通電を維持するほどの精度はいらない。
【０００５】
よって、レンズ絞り込みスイッチによる絞り駆動後、ステッピングモータの通電を維持しているのは、消費電流の無駄である。
【０００６】
また従来のカメラでは、レンズ絞り駆動後、ステッピングモータの通電をオフすると絞り込んだ位置を精度良く維持できない問題がある。
【０００７】
さらに、絞り込み精度を維持するために、絞り込み中にレリーズ操作された場合は、絞りを一度開放にして、再度絞り込むとレリーズ時のタイムラグが増えてしまう問題がある。
【０００８】
本発明の第１の目的は、レンズ絞り込みスイッチによる絞り駆動後、ステッピングモータの通電をオフすることで、消費電流の削減が図れるカメラシステムを提供するものである。
【０００９】
本発明の第２の目的は、精度の良い絞り駆動による露出制御を行なえるカメラシステムを提供するものである。
【００１０】
本発明の第３の目的は、絞り込み中のレリーズで、レリーズタイムラグが発生してシャッターチャンスを逃す恐れがないカメラシステムを提供しようとするものである。
【００１１】
【課題を解決する為の手段】
本発明のカメラは、ステッピングモータにより駆動されてレンズを通過する光量を調節する光量調節手段を有する撮影レンズと通信制御可能なカメラにおいて、絞込みスイッチと、第１ストローク、第２ストロークを有するレリーズスイッチ釦と、前記絞込みスイッチの操作により前記光量調節手段を絞り込み駆動させる制御手段とを有する。前記制御手段は、前記絞込みスイッチの操作に応じて前記ステッピングモータを介した前記光量調節部材の絞り込み動作を行なわせ、前記光量調節部材を絞り込んだ後に、前記ステッピングモータへの通電を停止するように制御するとともに、前記絞込みスイッチの操作されている状態での前記レリーズスイッチ釦の第２ストロークに応じて前記光量調節部材を一旦開いてから前記光量調節部材を絞り込んだ後に撮影することを特徴とする。
【００１９】
【発明の実施の形態】
（第１の実施の形態）
以下、本発明に係る第１の実施の形態について図１乃至図４に基づいて詳細に説明する。
【００２０】
図１は本実施の形態に係るレンズ絞り込みスイッチ（以下ＳＷと略記する）を具備した一眼レフレックスカメラの電気的構成の要部を示すブロック図である。
【００２１】
図１において、１００はカメラ本体に内蔵されたカメラ制御手段であるところのマイクロコンピュータの中央処理装置（以下、ＭＰＵと称す）であり、発振回路１０１で作られた源発振回路をＭＰＵ１００内の信号により、分周しない、１／２に分周する、１／１６に分周するなどして、前記ＭＰＵ１００の動作周波数を決める。１００ｂは記憶手段であるところのEEPROMであり、撮影情報を記憶させることが可能である。１００ｃはＡ／Ｄ変換器であり、後述するように焦点検出回路１０３、多分割測光センサ１０４からの入力されるアナログ信号をＡ／Ｄ変換する。
【００２２】
前記ＭＰＵ１００には、液晶表示回路１０２，焦点検出回路１０３，測光回路１０４，シャッター制御回路１０５，モータ制御回路１０６，フィルム走行検知回路１０７，及び、スイッチセンス回路１０８が接続されている。
【００２３】
また、撮影レンズ１内に配置されたレンズ制御回路３９とは、図２で示すマウント接点３７を介してレンズ制御情報の伝達がなされている。更に、外部フラッシュ回路１１０とは、外部フラッシュ接点１１１を介して外部フラッシュ情報の伝達がなされている。
【００２４】
前記液晶駆動回路１０２は、ファインダ視野内であり測距点表示用液晶パネルであるファインダ内ＬＣＤ１５とファインダ視野外のファインダ内ＬＣＤ２０の表示をＭＰＵ１００からの信号に従って制御している。
【００２５】
前記焦点検出回路１０３は、ＭＰＵ１００の信号に従い、焦点検出用エリアセンサ６ｆの蓄積制御と読み出し制御を行って、それぞれの画素情報をＭＰＵ１００に出力する。ＭＰＵ１００はこの情報をＡ／Ｄ変換し、周知の位相差検出法による焦点検出を行い、検出した焦点検出情報をレンズ制御回路３９へ送出してレンズの焦点調節を行わせる。
【００２６】
前記測光回路１０４は、画面内の各エリアの輝度信号として、測光センサ１０からの出力をＭＰＵ１００に出力する。ＭＰＵ１００は輝度信号をＡ／Ｄ変換し、撮影の露出の調整を行う。
【００２７】
また、本実施の形態のフラッシュ制御は、撮影時のフラッシュ発光前にプリ発光を行い、撮影時のフラッシュ発光量を決めてしまう方式で、前記測光センサ１０によりプリ発光時の測光も行っている。
【００２８】
前記シャッター制御回路１０５は、ＭＰＵ１００からの信号にしたがって、シャッター先幕をマグネットＭＧ−１を介して走行させ、次いでシャッター後幕をマグネットＭＧ−２を介して走行させることで露出制御が行なわれる。
【００２９】
前記モータ制御回路１０６は、ＭＰＵ１００からの信号に従ってモータを制御することにより、主ミラー２のアップダウン、及び、シャッターのチャージ、そしてフィルムの給送を行っている。
【００３０】
前記フィルム走行検知回路１０７は、フィルム給送時にフィルムが１駒分巻き上げられたかを検知し、ＭＰＵ１００に信号を送る。
【００３１】
ＳＷ１は不図示のレリーズ釦の第一ストロークでＯＮし、測光とＡＦの動作を開始させるためのスイッチ、ＳＷ２は不図示のレリーズ釦の第二ストロークでＯＮし、露光動作を開始させるためのスイッチである。絞り込みＳＷは、レンズの絞り駆動を瞬時に行わせるスイッチである。その他不図示のカメラの操作部材の状態信号は、スイッチセンス回路１０８が検知し、ＭＰＵ１００に送っている。
【００３２】
図２は、本実施の形態の一眼レフレックスカメラの光学配置を示す断面図である。図１と同一の構成部分には同じ符号を付している。
【００３３】
図２に於いて、１は撮影レンズであり、便宜上2枚のレンズ１ａ、１ｂで示したが、実際は多数のレンズから構成されている。２は主ミラーであり、観察状態と撮影状態に応じて撮影光路へ斜設され、あるいは退去される。３はサブミラーであり、前記主ミラー２を透過した光束をカメラボディの下方へ向けて反射する。４はシャッターである。５は感光部材であり、銀塩フィルム、ＣＣＤ、ＭＯＳ型等の固体撮像素子、あるいはビディコン等の撮像管より成り立っている。
【００３４】
６は焦点検出装置であり、結像面近傍に配置されたフィールドレンズ６ａ、反射ミラー６ｂ及び６ｃ、２次結像レンズ６ｄ、絞り６ｅ、及び、複数のＣＣＤ等から成るエリアセンサ６ｆ等から構成されている周知の位相差方式を採用している。
【００３５】
７は前記撮影レンズ１の予定結像面に配置されたピント板、８はファインダ光路変更用のペンタプリズムである。９、１０は観察画面内の被写体輝度を測定するため結像レンズと測光センサであり、結像レンズ９はペンタプリズム８内の反射光路を介して、Ｘ２の光路の様に、ピント板７と測光センサ１０を共役に関係付けている。
【００３６】
ファインダ光路Ｘ１は、撮影レンズ１に取り入れられた被写体からの光を主ミラー２を介してピント板７上に結像し、前記ピント板上の像をペンタプリズム８を介しハーフミラー１２によって表示用光路Ｘ３からの光と合成され、接眼レンズ１１を介して観察者の瞳孔１８に達し観察されるようになっている。
【００３７】
次に、表示用光路Ｘ３について説明する。
【００３８】
まず、バックライトLED１７から発した光はフレネルレンズ１６に入射し、前記レンズによって集光され複数の焦点検出点に対応した表示セグメントが形成されている焦点検出点表示用液晶パネル１５に入射する。前記焦点検出点表示用液晶パネル１５を透過した光束はミラー１４で反射し、投影レンズ１３によって集光された後、ハーフミラー１２によって、ファインダ光路Ｘ１と合成され接眼レンズ１１を介して観察者の瞳孔１８に達し観察されるようになっている。
【００３９】
２１はファインダ視野マスクである。また、２０はファインダ視野外に撮影情報を表示するためのファインダ内ＬＣＤで、図２の照明用ＬＥＤ１９（Ｆ−ＬＥＤ）によって照明されている。ファインダ内ＬＣＤ２０を通過した光は、三角プリズム２２によってファインダ内に導かれ、観察者は前記撮影情報を観察することになる。
【００４０】
３１は撮影レンズ１内に設けた光量調節部材としての絞り、３２はステッピングモータを含む絞り駆動回路、３３はレンズ駆動用モータ、３４は駆動ギヤ等から成るレンズ駆動部材である。３５はフォトカプラであり、前記レンズ駆動部材３４に連動するパルス板３６の回転を検知してレンズ焦点調節回路３８に伝えている。
【００４１】
３８はレンズ焦点調節回路で、前記フォトカプラ３５からの情報とレンズ制御回路３９からのレンズ駆動量の情報に基づいてレンズ駆動用モータ３３を所定量駆動させ、撮影レンズ１の合焦レンズ１ａを合焦位置に移動させている。
【００４２】
３９はレンズ制御回路で、カメラからの情報に基づいてレンズ焦点調節回路３８と絞り駆動回路３２の制御を行っている。３７は公知のカメラとレンズとのインターフェイスであるマウント接点。
【００４３】
次に、図３、図４のフローチャートを用いて、本実施の形態の一眼レフカメラの動作について説明する。
【００４４】
図３において、カメラの動作が開始すると、ＭＰＵ１００は、まずステップ＃００１にて、ＭＰＵ内部の初期化を行う。次に、ステップ＃００２では、カメラの設定や撮影データ等の情報をＭＰＵ内部にあるＥＥＰＲＯＭから読み出す。
【００４５】
ステップ＃００３において、スイッチセンス回路１０８と通信を行い、スイッチの検出を行う。
【００４６】
ステップ＃００４において、外部フラッシュが装着されていればステップ＃００５へ移行し、装着されていなければステップ＃００６へ移行する。
【００４７】
ステップ＃００５において、外部フラッシュと通信を行い、外部フラッシュ情報を得る。
【００４８】
ステップ＃００６において、レリーズ釦の第１ストロークでオンするスイッチＳＷ１又は、絞り込みＳＷのどちらかがオンならば、ステップ＃００７へ移行し、どちらのスイッチもオフならば、ステップ＃０２５（ＥＥＰＲＯＭ書き込み）へ進み、撮影情報をＥＥＰＲＯＭに書き込み、プログラムを終了する。
【００４９】
ステップ＃００７において、絞り込みＳＷがオフならば、ステップ＃００８へ移行し、オンならばステップ＃０１０へ移行する。
【００５０】
ステップ＃００８において、レンズの絞りを開放にするように、レンズに通信をして、レンズの絞りを開放にする。この時、レンズでは、すでに開放状態のときは、この開放通信が来ても何もしない。
【００５１】
ステップ＃００９において、絞り込み中フラグであるＳＰＤＮＩＮＧ＝０にすることで絞り込み中ではないことを記憶する。
【００５２】
ステップ＃０１０において、ＳＰＤＮＩＮＧ＝１ならば、レンズが絞り込み中なのでステップ＃０１８へ移行し、絞り込み中でなければ、ステップ＃０１１へ移行する。
【００５３】
ステップ＃０１１において、測光回路１０４からの被写体の輝度情報によりシャッタースピードとレンズの絞り値を演算により算出し露出量を決定する。
【００５４】
ステップ＃０１２において、絞り込みＳＷがオンならば、ステップ＃０１３へ移行し、オフならばステップ＃０１６へ移行する。
【００５５】
ステップ＃０１３において、ステップ＃０１１により算出された絞り値とレンズの開放絞り値との差を絞り込むようにレンズに通信する。レンズでは、この通信を受信して、ステッピングモータを駆動させ、絞りを駆動する。更に、絞り込んだ後でも、レンズは、ステッピングモータの通電を維持し続ける。
【００５６】
ステップ＃０１４において、絞り駆動をしているステッピングモータの通電をオフさせるようにレンズに通信をする。
【００５７】
ステップ＃０１５において、ＳＰＤＮＩＮＧ＝１にセットし、レンズが絞り込み中であることを記憶し、ステップ＃０１８へ移行する。
【００５８】
ステップ＃０１６において、焦点検出動作を行なう。これは、前述したように焦点検出回路１０３による周知の位相差検出法によるものである。
【００５９】
ステップ＃０１７において、ＭＰＵ１００は、前記焦点検出動作による焦点検出状態によりレンズ制御回路３９を制御することによって、レンズの焦点調節を行なう。そして、次のステップ＃０１８において、ステップ＃０１１によるシャッタースピード、絞り値、及びステップ＃０１６による焦点検出結果をファインダ内に表示するため前記液晶表示回路と通信を行なう。
【００６０】
続くステップ＃０１９においては、レリーズ釦の第２ストロークでオンするスイッチＳＷ２の状態を調べ、オフであればステップ＃０２４へ移行する。また、スイッチＳＷ２がオンであれば、ステップ＃０２０へ移行する。
【００６１】
ステップ＃０２０において、ＳＰＤＮＩＮＧ＝１ならばステップ＃０２１へ移行しレンズの絞りを開放にし、ステップ＃０２２にて、ＳＰＤＮＩＮＧ＝０にして、ステップ＃０２３へ移行する。また、ＳＰＤＮＩＮＧ＝１でなければ、ステップ＃０２３へ移行する。
【００６２】
ステップ＃０２０において、ＳＰＤＮＩＮＧ＝１でなければ、ステップ＃０２３において、フィルムに露光させるためのレリーズ制御を行う。
【００６３】
ここで、図４のフローチャートによりレリーズ制御を詳細に説明する。
【００６４】
図４のステップ＃２０１において、外部フラッシュが装着されているならステプ＃２０２へ移行し、そうでなければステップ＃２０５へ移行する。
【００６５】
ステップ＃２０２において、外部フラッシュが充電完了していなければステップ＃２０５へ移行し、充電完了ならばステップ＃２０３へ移行する。
【００６６】
ステップ＃２０３において、外部フラッシュによるプリ発光制御が行われ測光回路１０４の出力よりフラッシュの反射光を算出する。
【００６７】
ステップ＃２０４において、前記ステップ＃２０３のデータを基にフラッシュ発光量の演算を行う。
【００６８】
ステップ＃２０５において、モータ制御回路を駆動しミラーをアップさせる。
【００６９】
ステップ＃２０６において、レンズ制御回路３９と通信を行い絞り値を送り、レンズを指定値に絞り込む。
【００７０】
ステップ＃２０７において、フラッシュ撮影ならばステップ＃２０８で、外部フラッシュと通信を行い、フラッシュ発光量及び、発光開始を送信する。フラッシュ撮影でなければ、ステップ＃２０９に移行する。
【００７１】
ステップ＃２０９において、シャッター制御回路により先幕を走らせる。
【００７２】
ステップ＃２１０において、設定した露出時間が経過したか否かを判断し、経過していなければループして、経過するまで待つ。
【００７３】
ステップ＃２１１において、シャッター制御回路により後幕を走らせる。
【００７４】
ステップ＃２１２において、レンズ制御回路と通信を行い絞りを開放にし、ＳＰＤＮＩＮＧ＝０にする。
【００７５】
ステップ＃２１３において、モータ制御回路を駆動しミラーをダウンさせる。
【００７６】
ステップ＃２１４において、フィルムが装填されていない場合は、レリーズ処理を終了とする（リターン）。フィルムが装填されている場合は、ステップ＃２１５でフィルムを１駒給送し、リターンする。
【００７７】
図３に戻って、ステップ＃０２４において、スイッチＳＷ１又は、絞り込みＳＷのどちらかがオンされていたらステップ＃００３に戻り、オフならばステップ＃０２５で各種カメラ情報をＥＥＰＲＯＭに記憶しプログラムを終了する。
【００７８】
（第２の実施の形態）
以下、本発明に係る第２の実施の形態について図２、図５、図６、図７に基づき詳細に説明する。尚、図２は第１の実施の形態で、すでに説明されているので図２の説明は省略する。
【００７９】
図７は本実施の形態に係るレンズ絞り込みＳＷを具備した一眼レフレックスカメラの電気的構成の要部を示すブロック図である。
【００８０】
図７において、１００はカメラ本体に内蔵されたカメラ制御手段であるところのマイクロコンピュータの中央処理装置（以下、ＭＰＵと称す）であり、発振回路１０１で作られた源発振回路をＭＰＵ１００内の信号により、分周しない、１／２に分周する、１／１６に分周するなどして、前記ＭＰＵ１００の動作周波数を決める。１００ｂは記憶手段であるところのEEPROMであり、撮影情報を記憶させることが可能である。１００ｃはＡ／Ｄ変換器であり、後述するように焦点検出回路１０３、多分割測光センサ１０４からの入力されるアナログ信号をＡ／Ｄ変換する。
【００８１】
前記ＭＰＵ１００には、液晶表示回路１０２，焦点検出回路１０３，測光回路１０４，シャッター制御回路１０５，モータ制御回路１０６，フィルム走行検知回路１０７，及び、スイッチセンス回路１０８が接続されている。また、撮影レンズ１内に配置されたレンズ制御回路３９とは、図２で示すマウント接点３７を介して伝達がなされている。更に、外部フラッシュ回路１１０とは、外部フラッシュ接点１１１を介して情報の伝達がなされている。
【００８２】
前記液晶駆動回路１０２は、ファインダ視野内であり測距点表示用液晶パネルであるファインダ内ＬＣＤ１５と、ファインダ視野外のファインダ内ＬＣＤ２０の表示をＭＰＵ１００からの信号に従って制御している。
【００８３】
焦点検出回路１０３はＭＰＵ１００の信号に従い、焦点検出用エリアセンサ６ｆの蓄積制御と読み出し制御を行って、ファインダ画素情報をＭＰＵ１００に出力する。ＭＰＵ１００はこの情報をＡ／Ｄ変換し、周知の位相差検出法による焦点検出を行い、検出した焦点検出情報をレンズ制御回路３９へ送出してレンズの焦点調節を行わせる。
【００８４】
前記測光回路１０４は、画面内の各エリアの輝度信号として、測光センサ１０からの出力をＭＰＵ１００に出力する。ＭＰＵ１００は輝度信号をＡ／Ｄ変換し、撮影の露出の調整を行う。
【００８５】
また、本実施の形態のフラッシュ制御は、撮影時のフラッシュ発光前にプリ発光を行い、撮影時のフラッシュ発光量を決めてしまう方式で、前記測光センサ１０によりプリ発光時の測光も行っている。
【００８６】
前記シャッター制御回路１０５は、ＭＰＵ１００からの信号にしたがって、シャッター先幕（マグネットＭＧ−１を介して）、シャッター後幕（マグネットＭＧ−２を介して）を走行させ、露出制御を行なう。
【００８７】
前記モータ制御回路１０６は、ＭＰＵ１００からの信号に従ってモータを制御することにより、主ミラー２のアップダウン、及び、シャッターのチャージ、そしてフィルムの給送を行っている。
【００８８】
前記フィル走行検知回路１０７は、フィルム給送時にフィルムが１駒分巻き上げられたかを検知し、ＭＰＵ１００に信号を送る。
【００８９】
ＳＷ１は不図示のレリーズ釦の第一ストロークでＯＮし、測光とＡＦの動作を開始させるためのスイッチ、ＳＷ２は不図示のレリーズ釦の第二ストロークでＯＮし、露光動作を開始させるためのスイッチである。絞り込みＳＷは、レンズの絞り駆動を瞬時に行わせるスイッチである。
【００９０】
絞り込み通電保持ＳＷは、絞り込みＳＷによる絞り駆動後、ステッピングモータの通電を保持させるか通電をオフさせるかを選択するためのスイッチであり、また、本実施の形態では、不図示であるが絞り込みＳＷがオンしている間は切替えが出来ない様なメカ機構となっている。その他不図示のカメラの操作部材の状態信号は、スイッチセンス回路１０８が検知し、ＭＰＵ１００に送っている。
【００９１】
次に、図５のフローチャートを用いて、本実施の形態の一眼レフカメラの動作について説明する。
【００９２】
図５において、カメラの動作が開始すると、ＭＰＵ１００は、まずステップ＃３０１にて、ＭＰＵ内部の初期化を行う。次に、ステップ＃３０２では、カメラの設定や撮影データ等の情報をＭＰＵ内部にあるＥＥＰＲＯＭから読み出す。
【００９３】
ステップ＃３０３において、スイッチセンス回路１０８と通信を行い、スイッチの検出を行なう。
【００９４】
ステップ＃３０４において、外部フラッシュが装着されていればステップ＃３０５へ移行し、装着されていなければステップ＃３０６へ移行する。
【００９５】
ステップ＃３０５において、外部フラッシュと通信を行い、外部フラ行なシュ情報を得る。
【００９６】
ステップ＃３０６において、レリーズ釦の第１ストロークでオンするスイッチＳＷ１又は、絞り込みＳＷのどちらかがオンならば、ステップ＃３０７へ移行し、どちらのスイッチもオフならば、ステップ＃３３０（ＥＥＰＲＯＭ書き込み）へ進み、撮影情報をＥＥＰＲＯＭに書き込み、プログラムを終了する。
【００９７】
ステップ＃３０７において、絞り通電保持ＳＷがオンならば、絞り駆動後の通電を維持させるためのフラグであるＥＭＤ＿ＫＥＥＰ＝１にセットし、ステップ＃３１０へ移行する。絞り通電保持ＳＷがオフならば、ステップ＃３０９へ移行し、ＥＭＤ＿ＫＥＥＰ＝０にし、ステップ＃３１０へ移行する。
【００９８】
ステップ＃３１０において、絞り込みＳＷがオフならば、ステップ＃３１１へ移行し、オンならばステップ＃３１３へ移行する。
【００９９】
ステップ＃３１１において、レンズの絞りを開放にするように、レンズに通信をして、レンズの絞りを開放にする。この時、レンズでは、すでに開放状態のときはこの開放通信が来ても何もしない。
【０１００】
ステップ＃３１２において、絞り込み中フラグであるＳＰＤＮＩＮＧ＝０にすることで絞り込み中ではないことを記憶する。
【０１０１】
ステップ＃３１３において、ＳＰＤＮＩＮＧ＝１ならば、レンズが絞り込み中なのでステップ＃３２２へ移行し、絞り込み中でなければ、ステップ＃３１４へ移行する。
【０１０２】
ステップ＃３１４において、測光回路１０４からの被写体の輝度情報によりシャッタースピードとレンズの絞り値を演算により算出し露出量を決定する。
【０１０３】
ステップ＃３１５において、絞り込みＳＷがオンならば、ステップ＃３１６へ移行し、オフならばステップ＃３２０へ移行する。
【０１０４】
ステップ＃３１６において、ステップ＃３１４により算出された絞り値とレンズの開放絞り値との差を絞り込む様に、レンズに通信する。レンズでは、この通信を受信して、ステッピングモータを駆動させ、絞りを駆動する。更に、絞り込んだ後でも、レンズは、ステッピングモータの通電を維持し続ける。
【０１０５】
ステップ＃３１７において、ＥＭＤ＿ＫＥＥＰ ＝ １ならば、ステップ＃３１９へ移行しそうでなければ、ステップ＃３１８へ移行する。
【０１０６】
ステップ＃３１８において、絞り駆動をしているステッピングモータの通電をオフさせる様にレンズに通信を行なう。
【０１０７】
ステップ＃３１９において、ＳＰＤＮＩＮＧ ＝ １にセットし、レンズが絞り込み中であることを記憶し、ステップ＃３２２へ移行する。
【０１０８】
ステップ＃３２０において、焦点検出動作を行う。これは、前述したように焦点検出回路１０３による行なの位相差検出法によるものである。
【０１０９】
ステップ＃３２１において、ＭＰＵ１００は、前記焦点検出動作による焦点検出状態によりレンズ制御回路３９を制御することによって、レンズの焦点調節を行う。そして、次のステップ＃３２２において、ステップ＃３１４によるシャッタースピード、絞り値、及びステップ＃３２０による焦点検出結果をファインダ内に表示するため前記液晶表示回路と通信を行なう。
【０１１０】
続くステップ＃３２３においては、レリーズ釦の第２ストロークでオンするスイッチＳＷ２の状態を調べ、オフであればステップ＃３２９へ移行する。
【０１１１】
また、スイッチＳＷ２がオンであれば、ステップ＃３２４へ移行する。
【０１１２】
ステップ＃３２４において、ＳＰＤＮＩＮＧ ＝ ０ならば、ステップ＃３２８へ移行する。 ＳＰＤＮＩＮＧ ＝ ０でなければ、ステップ＃３２５へ移行する。
【０１１３】
ステップ＃３２５において、ＥＭＤ＿ＫＥＥＰ ＝ ０ならば、ステップ＃３２６へ移行し、レンズの絞りを開放にする。ＥＭＤ＿ＫＥＥＰ ＝ ０でなければ、ステップ＃３２８へ移行する。
【０１１４】
ステップ＃３２７において、ＳＰＤＮＩＮＧ ＝ ０にする。
【０１１５】
ステップ＃３２８において、フィルムに露光させるためのレリーズ制御を行う。
【０１１６】
ここで、図６のフローチャートによりレリーズ制御を詳細に説明する。
【０１１７】
図６のステップ＃４０１において、外部フラッシュが装着されているならステップ＃４０２へ移行し、そうでなければステップ＃４０７へ移行する。
【０１１８】
ステップ＃４０２において、外部フラッュが充電完了していなければステップ＃４０７へ移行し、充電完了ならばステップ＃４０３へ移行する。
【０１１９】
ステップ＃４０３において、レンズが絞り込み中ならば、フラッシュのプリ発光による測光を行うため、ステップ＃４０４へ移行し、レンズの絞りを開放にし、ＳＰＤＮＩＮＧ ＝ ０にする。絞り込み中でなければ、ステップ＃４０５へ移行する。
【０１２０】
ステップ＃４０５において、外部フラッシュによるプリ発光制御が行われ測光回路１０４の出力よりフラッシュの反射光を算出する。
【０１２１】
ステップ＃４０６において、前記ステップ＃４０５のデータを基に、フラッシュ発光量の演算を行う。
【０１２２】
ステップ＃４０７において、モータ制御回路を駆動しミラーをアップさせる。
【０１２３】
ステップ＃４０８において、レンズが絞り込み中ならば、ステップ＃４１０へ移行し、そうでなければ、ステップ＃４０９に移行する。
【０１２４】
ステップ＃４０９において、レンズ制御回路３９と通信を行い絞り値を送り、レンズを指定値に絞り込む。
【０１２５】
ステップ＃４１０において、フラッシュ撮影ならばステップ＃４１１で、外部フラッシュと通信を行い、フラッシュ発光量及び、発光開始を送信する。フラッシュ撮影でなければ、ステップ＃４１２に移行する。
【０１２６】
ステップ＃４１２において、シャッター制御回路により先幕を走らせる。
【０１２７】
ステップ＃４１３において、設定した露出時間が経過したか否かを判断し経過していなければループして、経過するまで待つ。
【０１２８】
ステップ＃４１４において、シャッター制御回路により後幕を走らせる。
【０１２９】
ステップ＃４１５において、レンズ制御回路と通信を行い絞りを開放にし、ＳＰＤＮＩＮＧ ＝ ０にする。
【０１３０】
ステップ＃４１６において、モータ制御回路を駆動しミラーをダウンさせる。
【０１３１】
ステップ＃４１７において、フィルムが装填されていない場合は、レリーズ処理を終了とする（リターン）。フィルムが装填されている場合は、ステップ＃４１８でフィルムを１駒給送し、リターンする。
【０１３２】
図５に戻って、ステップ＃３２９において、スイッチＳＷ１又は、絞り込みＳＷのどちらかがオンされていたらステップ＃３０３に戻り、オフならばステップ＃３３０で各種カメラ情報をＥＥＰＲＯＭに記憶しプログラムを終了する。
【０１３３】
【発明の効果】
以上説明したように、本発明によれば、絞り込みスイッチによる絞り込みを行った後、絞り等の光量調節部材を駆動しているステッピングモータの通電をオフする様にしたので、消費電流を削減することができた。
【０１３４】
また、絞り込み中に、レリーズ操作された場合は、一度絞りを開放にして、再度絞り込みステッピングモータの通電を維持して撮影するので、絞り込み精度を低下させることはない。
【０１３５】
さらに、本発明によれば、絞り通電保持スイッチにより、絞り込みスイッチによるレンズの絞り駆動後のステッピングモータの通電をオフするかオンを保持するかを選択できる様にしたので、レリーズ時に発生するタイムラグ、すなわち一度絞りを開放にて、再度絞り込む作業時間が気になったときは、撮影シーン等で撮影者が自由に選択可能にすることができた。
【図面の簡単な説明】
【図１】本発明に係る第１の実施の形態におけるカメラに内蔵された電気的構成の要部を示すブロック図
【図２】本発明に係る第１の実施の形態における一眼レフレックスカメラの光学配置を示す図
【図３】第１の実施の形態のカメラの一連の動作を示すフローチャート
【図４】第１の実施の形態のカメラの一連の動作を示すフローチャート
【図５】第２の実施の形態のカメラの一連の動作を示すフローチャート
【図６】第２の実施の形態のカメラの一連の動作を示すフローチャート
【図７】本発明に係る第２の実施の形態におけるカメラに内蔵された電気的構成の要部を示すブロック図
【符号の説明】
１００…ＭＰＵ
１０５…シャッター制御回路
１０６…モータ制御回路
１０７…フィルム走行検知回路
３１…絞り
３２…駆動回路
３３…レンズ駆動用モータ
３４…レンズ駆動部材
３９…レンズ制御回路
【図１】
0004474040.tif 000002
【図２】
0004474040.tif 000003
【図３】
0004474040.tif 000004
【図４】
0004474040.tif 000005
【図５】
0004474040.tif 000006
【図６】
0004474040.tif 000007
【図７】
0004474040.tif 000008